(57)【特許請求の範囲】
【請求項１】
地下構造物の上部に設置され、地表面にて蓋本体を支持する受枠本体と、
前記受枠本体の外周に脱着可能に配置され、前記受枠本体のフランジ上面および外周面を囲繞する保護枠とからなり、
前記受枠本体の前記フランジ上面には、前記保護枠を昇降可能に支持し、前記受枠本体から前記保護枠を上方に離脱可能とする昇降支持手段を備え、
前記保護枠は、前記蓋本体の周囲を地表面と平行にして環状に延びる上面壁と、前記受枠本体のフランジ外周から地表面まで円筒状に延びる外周壁とを有することを特徴とする地下構造物用蓋の受枠。
【請求項２】
地下構造物の上部に設置され、地表面にて蓋本体を支持するとともに、下端部にフランジを有した受枠本体と、
前記地下構造物の上部に鉛直に植設され、前記受枠本体のフランジに開口したボルト孔を貫通する固定ボルト、およびこの固定ボルトに螺合され、前記固定ボルトに対して上下動可能なレベル調整ブロックを有し、このレベル調整ブロックによって前記受枠本体の前記フランジを下方から支持するとともに、前記レベル調整ブロックを上下動させて前記受枠本体の設置レベルを調整可能とするレベル調整手段と、
前記受枠本体の外周に配置され、前記フランジの上方を覆うべく前記受枠本体を囲繞する保護枠と、
前記受枠本体の前記フランジに対して前記保護枠を昇降可能に支持し、前記受枠本体から前記保護枠を上方に離脱可能とする昇降支持手段とを備え、
前記保護枠は、前記蓋本体の周囲を地表面と平行にして環状に延びる上面壁と、前記受枠本体のフランジ外周から地表面まで円筒状に延びる外周壁とを有することを特徴とする地下構造物用蓋の受枠。
【請求項３】
前記昇降支持手段は、
前記受枠本体のフランジ上面から上方向に延び、その周方向に間隔を存して設けられた複数の支持ボルトと、
前記各支持ボルトに螺合され、前記保護枠の上面壁を下方から支持する特殊ナットと、
前記各支持ボルトに対応する位置の前記上面壁に形成され、その上方から前記特殊ナットの回動作業を可能とする開口部と
を含む請求項１又は２に記載の地下構造物用蓋の受枠。
【請求項４】
前記昇降支持手段は、
前記受枠本体のフランジ上面に周方向に間隔を存して設けられた複数の支持ナットと、
前記各支持ナットに螺合され、前記保護枠の上面壁を下方から支持する特殊ボルトと、
前記各支持ナットに対応する位置の前記上面壁に形成され、その上方から前記特殊ボルトの回動作業を可能とする開口部と
を含む請求項１又は２に記載の地下構造物用蓋の受枠。
【請求項５】
前記昇降支持手段は、
流体圧により前記保護枠を昇降させる流体圧駆動機構と、
前記流体圧駆動機構に対し、前記保護枠の外部から作動流体の給排を可能とする流体給排手段と
を含む請求項１又は２に記載の地下構造物用蓋の受枠。
【請求項６】
前記保護枠が周方向に分割された複数のブロックから構成されている請求項１から５のいずれかに記載の地下構造物用蓋の受枠。
【発明の詳細な説明】
【０００１】
【発明の属する技術分野】
本発明は、地下構造物用蓋の受枠に関する。
なお、本願明細書でいう「地下構造物用蓋」とは、下水道における地下埋設物，地下構造施設等と地上とを通じる開口部を閉塞する大型鉄蓋，マンホール蓋，汚水桝蓋、電力・通信における地下施設機器や地下ケーブル等を保護する開閉可能な共同溝用鉄蓋，送電用鉄蓋，配電用鉄蓋、上水道やガス配管における路面下の埋設導管およびその付属機器と地上とを結ぶ開閉扉としての機能を有する消火栓蓋，制水弁蓋，仕切弁蓋，空気弁蓋，ガス配管用蓋，量水器蓋等を総称する。
【０００２】
【従来の技術】
マンホール等の地下構造物の上部には、地上と地下構造物の内部とを通じる開口部を開閉可能に閉塞するために、蓋本体とこれを支持する受枠とからなる地下構造物用蓋が設けられている。従来からこの地下構造物用蓋を道路等に設置する際には、地下構造物の上部と受枠の下面との間に受枠のレベル調整装置等を介在させ、路面と受枠の上端部とが一致するように設置されているが、一旦設置した後においても、道路の再舗装工事等を行う場合には、再舗装された路面に合わせて再度レベル調整を行う必要が生じる。この場合における受枠のレベル調整作業を容易にし、レベル調整装置を構成する諸部材の再利用を可能にしたものとして特許第２９７９３８９号公報に記載されたものがある。
【０００３】
この地下構造物用蓋は、側塊の上部に植設した固定ボルトに保護スリーブを挿通し、この固定ボルトにレベル調整ブロックを螺合し、レベル調整ブロックに保護ブロックを被せ、受枠のフランジに開口したボルト孔に固定ボルトを挿通して受枠のフランジをレベル調整ブロックに載置し、固定部材を受枠のフランジの上側から固定ボルトに螺合することにより受枠を緊結し、固定部材に保護キャップを被せた構成となっている。これにより固定ボルトは保護スリーブにより、レベル調整ブロックは保護ブロックにより、固定部材は保護キャップによりそれぞれ覆われているため、施工後に固定ボルト、レベル調整ブロック、固定部材等の諸部材が、受枠の下面と側塊との間に充填されるモルタル等の充填材と直接接触することが防止され、再度受枠のレベル調整を行う必要が生じた際に、上記諸部材を再利用することができる。
【０００４】
【発明が解決しようとする課題】
しかしながら、上記した地下構造物用蓋は、一旦受枠を道路等に設置した後において、再度受枠のレベル調整を行う際に、受枠のフランジの上方がアスファルト等の舗装材により転圧されているため、受枠のレベル調整を行うためには、この部分を掘削する必要があり作業の手間となっていた。
【０００５】
本発明は上記の点に鑑みてなされたもので、一旦受枠を道路等に設置した後において、再度受枠のレベル調整を行う際に、受枠周りの舗装材を掘削することなく受枠のレベル調整を行うことができる地下構造物用蓋の受枠を提供することにある。
【０００６】
【課題を解決するための手段】
本発明は、地下構造物の上部に設置され、地表面にて蓋本体を支持する受枠本体と、前記受枠本体の外周に脱着可能に配置され、前記受枠本体のフランジ上面および外周面を囲繞する保護枠とからなり、前記受枠本体の前記フランジ上面には、前記保護枠を昇降可能に支持し、前記受枠本体から前記保護枠を上方に離脱可能とする昇降支持手段を備え、前記保護枠は、前記蓋本体の周囲を地表面と平行にして環状に延びる上面壁と、前記受枠本体のフランジ外周から地表面まで円筒状に延びる外周壁とを有する構成としている。
また、本発明により提供される地下構造物用の受枠は、地下構造物の上部に設置され、地表面にて蓋本体を支持するとともに、下端部にフランジを有した受枠本体と、地下構造物の上部に鉛直に植設され、受枠本体のフランジに開口したボルト孔を貫通する固定ボルト、およびこの固定ボルトに螺合され、固定ボルトに対して上下動可能なレベル調整ブロックを有し、このレベル調整ブロックによって前記受枠本体の前記フランジを下方から支持するとともに、前記レベル調整ブロックを上下動させて前記受枠本体の設置レベルを調整可能とするレベル調整手段と、前記受枠本体の外周に配置され、前記フランジの上方を覆うべく前記受枠本体を囲繞する保護枠と、前記受枠本体の前記フランジに対して前記保護枠を昇降可能に支持し、前記受枠本体から前記保護枠を上方に離脱可能とする昇降支持手段とを備えており、そして、前記保護枠は、前記蓋本体の周囲を地表面と平行にして環状に延びる上面壁と、前記受枠本体のフランジ外周から地表面まで円筒状に延びる外周壁とを有している。
【０００７】
上記の構成としたことにより、道路等への設置後は、受枠本体のフランジの上方は保護枠により覆われ、アスファルト等の舗装材により転圧されていない状態となる。このため、再度受枠のレベル調整を行う際には、昇降支持手段により保護枠を上昇させて保護枠の外周壁とその周囲の舗装材との縁切りを行い、その後保護枠を取り外すことにより、受枠本体の下面と地下構造物の上部との間に介装されたレベル調整手段を用いて受枠のレベル調整を行うことができる。これにより、受枠のレベル調整を行うにあたって、受枠周囲の舗装材を掘削する必要がなく作業時間の大幅な短縮を図ることができる。
【０００８】
【発明の実施の形態】
本発明においては、前記昇降支持手段は、前記受枠本体のフランジ上面から上方向に延び、その周方向に間隔を存して設けられた複数の支持ボルトと、前記各支持ボルトに螺合され、前記保護枠の上面壁を下方から支持する特殊ナットと、前記各支持ボルトに対応する位置の前記上面壁に形成され、その上方から前記特殊ナットの回動作業を可能とする開口部とを含むようにすることが好ましい。
【０００９】
このような構成とすることにより、受枠本体から保護枠を取り外す際に、その取り外し作業を保護枠の上側から行うことができ作業負荷が軽減される。
あるいは前記昇降支持手段は、前記受枠本体のフランジ上面に周方向に間隔を存して設けられた複数の支持ナットと、前記各支持ナットに螺合され、前記保護枠の上面壁を下方から支持する特殊ボルトと、前記各支持ナットに対応する位置の前記上面壁に形成され、その上方から前記特殊ボルトの回動作業を可能とする開口部とを含むようにすることもできる。
【００１０】
このような構成とすることにより、上記と同様に受枠本体から保護枠を取り外す際に、その取り外し作業を保護枠の上側から行うことができ作業負荷が軽減される。
また前記昇降支持手段は、流体圧により前記保護枠を昇降させる流体圧駆動機構と、前記流体圧駆動機構に対し、前記保護枠の外部から作動流体の給排を可能とする流体給排手段とを含むようにすることもできる。
【００１１】
このような構成とすることで、保護枠の取り外し作業をさらに容易に行うことができる。
また本発明においては、前記保護枠が周方向に分割された複数のブロックから構成されるようにすることもできる。
このような構成とすることで、保護枠の取り外し作業を最少人数で行うことができ、保護枠の運搬作業もまた容易となる。
【００１２】
【実施例】
以下、本発明の実施例を図面に基づいて説明する。
図１は、本発明に係る地下構造物用蓋の受枠に蓋本体を設置した状態を示す部分平面図、図２は、図１の受枠の断面図、図３は、図１の受枠の分解斜視図である。
【００１３】
図１に示すように地下構造物用蓋１は、受枠２と、この受枠２に支持される蓋本体３とにより構成されており、受枠２はさらに、テーパ嵌合により蓋本体３を嵌着する受枠本体４と、この受枠本体４の外周に脱着可能に配置された保護枠５とにより構成される。図１ではその一部だけを示しているが、地下構造物用蓋１は全体として平面視円形状をなしており、その蓋本体３が地表面ＧＬと面一になるように設置される。
【００１４】
以下、本発明の第１実施例について説明する。
図２に示すように受枠本体４は下端部に形成されたフランジ６を有しており、このフランジ６は図示しない公知のレベル調整手段を介して地下構造物の上部に固定されている。図３に示すようにフランジ６は、その周方向に等間隔を存して設けられた複数のボルト孔８を有し、これらボルト孔８を通じてレベル調整手段が設けられる。レベル調整手段としては、例えば図４に示すように前述した特許第２９７９３８９号公報に記載のものと同様の固定ボルト１０、固定ブロック１２、固定ナット１４、回転防止キャップ１６、そしてレベル調整ブロック１７（図８参照）を用いることができる。固定ボルト１０にはフランジ６の下方にてレベル調整ブロック１７が螺合されており、これによりレベル調整ブロック１７は受枠本体４のフランジ６を下方から支持している。そして、固定ボルト１０に対してレベル調整ブロック１７を螺進させることにより受枠本体４の設置レベルを調整することができる。
【００１５】
またフランジ６の上方においては、固定ブロック１２を固定ボルト１０に取り付けるとともにその上方から固定ナット１４を締め込み、さらに回転防止キャップ１６を取り付けることによって、受枠本体４を上方から緊結するように構成されている。
図２に示すように、受枠本体４はその内周に支持部１８を有し、この支持部１８にて蓋本体３を嵌合支持する。保護枠５は受枠本体４の外周に脱着可能にして嵌め合わされており、この状態でフランジ６の上面および外周面１９を覆っている。具体的には、保護枠５は上面壁２０および外周壁２２を有しており、このうち上面壁２０は地表面ＧＬと平行に形成され、蓋本体３の周囲を環状に延びている。一方、外周壁２２は受枠本体４の外周面１９と平行に形成され、フランジ６の外周から地表面ＧＬに向けて円筒状に立ち上がっている。
【００１６】
またフランジ６の上面には、受枠本体４の外周面１９から径方向に延びる突条２４が形成されており、この突条２４にボルト孔２６が形成されている。図３に示すように突条２４はフランジ６の上面にその周方向に一定の間隔を存して複数箇所に設けられており、本実施例では全部で６箇所である。
図２および図３に示すように保護枠５は、昇降支持手段としての支持ボルト２８および特殊ナット３０を介してフランジ６の上面に取り付けられており、支持ボルト２８はフランジ６の下方からボルト孔２６に挿通されている。突条２４には支持ボルト２８の頭部を受け入れ可能な凹部３２が形成されており、支持ボルト２８の頭部はこの凹部３２内にて回転を拘束されている。また支持ボルト２８はフランジ６の上面にてナット３４により締め付けられている。
【００１７】
特殊ナット３０は円筒状の本体部分３６を有しており、その内周面に雌ねじが形成されている。本体部分３６はフランジ６の上方から支持ボルト２８に螺合されており、その下端はナット３４より僅かに上方に位置している。また特殊ナット３０は本体部分３６の上端に一体的に形成された支持フランジ３８を有しており、この支持フランジ３８は本体部分３６の内周面に形成した雌ねじの周りに円盤状をなしている。さらに支持フランジ３８の上面には六角ナット部４０が一体的に形成されている。
【００１８】
図２および図３に示すように、保護枠５の上面壁２０には各支持ボルト２８の位置に対応して凹部４２が形成されている。各凹部４２の底には開口部４４が形成されており、この開口部４４を覆うようにして各凹部４２にワッシャ４６が填め込まれている。そして、各ワッシャ４６の上方からボルト４８が挿通されており、各ボルト４８は対応する特殊ナット３０の六角ナット部４０に螺合されている。
【００１９】
受枠２が通常の設置状態にあるとき、図２に示すように各ボルト４８は特殊ナット３０にねじ込まれており、この状態で、ボルト４８はワッシャ４６を介して上面壁２０を支持フランジ３８に締め付けている。それゆえ凹部４２の底はボルト４８の緊結座となる。
以上の構成によれば、保護枠５はその外周壁２２より外側を堰き止め、フランジ６の上面領域がアスファルト等の舗装材により転圧されるのを防止する作用をなす。これにより、道路面の再舗装工事等において受枠２の嵩調整を行う際に支持ボルト２８や特殊ナット３０等の昇降支持手段をはじめ、上述した固定ボルト１０や固定ナット１４等のレベル調整手段として用いられる諸部材の再使用が可能となる。
【００２０】
さらに、保護枠５の外周壁２２は、フランジ６の外周から地表面ＧＬに向けて円筒状に立ち上がっている構成であるため、受枠２の嵩調整後、道路面の再舗装を行う際に、舗装材の転圧作業が容易となる。
次に受枠２の周囲の地表面ＧＬを再舗装し、この再舗装した地表面ＧＬにあわせて受枠２を嵩上げする場合の手順について説明する。
【００２１】
先ず図４に示すようにボルト４８の締め付けを解除し、特殊ナット３０から抜き去る。次に図５に示すように、ワッシャ４６を凹部４２から取り外す。これにより開口部４４が保護枠５の上方に露出し、開口部４４を通じて特殊ナット３０へのアクセスが可能となる。これらの作業を６箇所全てのボルト４８およびワッシャ４６について行う。
【００２２】
次に図６に示すように、開口部４４を通じて工具（ここではＴ字レンチ）５０を六角ナット部４０に係合させ、工具５０を回して特殊ナット３０を回動させる。このとき特殊ナット３０を上方向に螺進させると、支持フランジ３８を介して上面壁２０が持ち上げられ、保護枠５が上昇する。なお特殊ナット３０の回動作業は複数箇所を同時に行ってもよいし、１箇所ずつ順次行ってもよい。
【００２３】
上述した特殊ナット３０の回動作業により、保護枠５の外周壁２２と周囲の舗装材との縁切りが行われる。この後、図７に示すように保護枠５を上方に持ち上げ、受枠本体４から離脱させる。
保護枠５を離脱させると、図８に示すようにレベル調整手段を用いて受枠本体４のレベル調整を行う。レベル調整後、フランジ６の下面と地下構造物７の上面との間にできた隙間を充填材で埋め、図９に示すように保護枠５を受枠本体４に装着する。
【００２４】
保護枠５の装着後、再び特殊ナット３０を回動させて保護枠５を下降させ、受枠本体４に密着させる。そして、ワッシャ４６を個々の凹部４２に填め込み、ボルト４８を特殊ナット３０にねじ込んで保護枠５を受枠本体４に緊結する。
以上の嵩上げ手順から明らかなように、本発明に係る受枠２の嵩上げ作業においては、従来の嵩上げ作業において必要とされていた周囲の舗装材を掘削するという作業が一切不要であるため、作業時間の大幅な短縮を図ることができる。
【００２５】
次に本発明の第２実施例を説明する。なお、第１実施例と同様の構成のものには既出の同じ符号を付し、ここでは重複した説明を省略する。
図１０に示すように、第２実施例では保護枠が３つのブロック５ａ，５ｂ，５ｃに分割されている。個々のブロック５ａ，５ｂ，５ｃは第１実施例で説明した一体成形の保護枠５を周方向に３分割したものであり、それぞれ両端はバルクヘッド５２により仕切られている。個々のブロック５ａ，５ｂ，５ｃは円環の一部をなす上面壁２０ａ，２０ｂ，２０ｃおよび円筒の一部をなす外周壁２２ａ，２２ｂ，２２ｃをそれぞれ有しており、全てのブロック５ａ，５ｂ，５ｃを受枠本体４に装着すると第１実施例とほぼ同様の外形が得られる。
【００２６】
また個々のブロック５ａ，５ｂ，５ｃは２セットずつの昇降支持手段、つまり支持ボルト２８および特殊ナット３０を介して受枠本体４に緊結される。この第２実施例の場合、個々のブロック５ａ，５ｂ，５ｃを単独で脱着することができるため、全ての保護枠を一体で脱着する必要がない分、作業員の負担が軽減される。
【００２７】
次に本発明の第３実施例を説明する。ここでも第１実施例と同様の構成のものには既出の同じ符号を付し、重複した説明を省略する。
図１１に示すように、第３実施例では受枠本体４のフランジ６上に３つのテレスコピックジャッキ５４を流体圧駆動機構として配置している。これら３つのテレスコピックジャッキ５４はフランジ６の上面に周方向に等間隔を存して配置され、油圧管路５６を介して相互に接続されている。
【００２８】
図１２に示すように油圧管路５６は受枠本体４の外周面１９に沿ってリング状に配管されており、その１箇所で油圧分配器５８に接続されている。油圧分配器５８は上方に給排ポート６０を有しており、ここにはコネクタ６２を介して油圧ホース６４を脱着可能となっている。油圧ホース６４は保護枠５の開口部６６を通じて外部から差し込み可能であり、これにより、外部に設置したポータブル式の油圧ポンプ６８から個々のテレスコピックジャッキ５４に作動流体としての作動油を給排可能である。
【００２９】
各テレスコピックジャッキ５４は、そのアクチュエータの上端がボルト７０を介して保護枠５に接続されている。また保護枠５の上面壁２０には各テレスコピックジャッキ５４に対応する位置に凹部７２が形成されており、そして図１３に示すように凹部７２にはボルト孔７４が形成されている。各テレスコピックジャッキ５４のアクチュエータには、このボルト孔７４を通じてボルト７０がねじ込まれ、保護枠５の上面壁２０に対して緊結されている。
【００３０】
この第３実施例の場合、外部からテレスコピックジャッキ５４に作動油を給排するだけで容易に保護枠５を昇降させることができ、上述した保護枠５の縁切り作業をより容易に行うことができる。
本発明は上述した各実施例のみに制約されることなく、各種の追加や変形を伴って実施可能である。例えば、第１実施例において特殊ナット３０の支持フランジ３８上にスラスト軸受を配置し、その回動作業時に保護枠５との摩擦を低減することもできる。
【００３１】
また、第１実施例ではフランジ６の上面から上方に延びる支持ボルト２８およびこれに上方から螺合する特殊ナット３０を挙げているが、これら両部材の上下の配置関係を相互に入れ替えることもできる。例えば、フランジ６の上面に支持ナットを上向きに固着して設け、その内周面に形成した雌ねじに上方から特殊ボルトを螺合させることもできる。この場合、複数の支持ナットがフランジ６の周方向に間隔を存して配置され、各支持ナットに特殊ボルトが上方から螺合される。また特殊ボルトは保護枠５の上面壁２０を下方から支持することができる。そして、特殊ボルトの頭部に形成したナット部に上述したボルト４８が螺合され、このボルト４８およびワッシャ４６を取り外した状態で、開口部４４を通じて上方から特殊ボルトの回動作業を行うことができる。このような特殊ボルトの回動作業により、第１実施例と同様に保護枠５の外周壁２２と周囲の舗装材との縁切りを行うことができる。
【００３２】
また各実施例では、昇降支持手段としてねじ式や油圧式のジャッキを挙げているが、保護枠５を昇降可能に支持するものであれば、その他のジャッキや昇降機構を用いてもよい。
第２実施例では保護枠を３等分割としているが、本発明において特に保護枠の分割数や等分割等の制限はなく、適宜に分割の形態を変更してもよい。
【００３３】
また第３実施例では流体圧駆動機構として油圧式のテレスコピックジャッキを挙げているが、その他の形式のものを用いてもよい。
【００３４】
【発明の効果】
本発明の地下構造物用蓋の受枠（請求項１，２）は、一旦設置した後における受枠のレベル調整作業を容易にし、その作業効率を大幅に向上する。
また本発明の地下構造物用蓋の受枠（請求項３，４）は昇降支持手段が保護枠の上方から操作可能な構造を有するため、レベル調整作業時の負荷軽減や効率化に大きく寄与する。
【００３５】
また、本発明の地下構造物用蓋の受枠（請求項５）は流体圧駆動機構により保護枠の縁切り作業を行うことができるため、レベル調整作業時の大幅な省力化を図ることができる。
さらに本発明の地下構造物用蓋の受枠（請求項６）は、保護枠を分割することでその脱着作業および運搬作業を容易にできるため、より実用性に優れた受枠の構造を提供することができる。
【図面の簡単な説明】
【図１】本発明に係る地下構造物用蓋の受枠に蓋本体を設置した状態を示す部分平面図である。
【図２】図１中、ＩＩ−ＩＩ線に沿う受枠の断面図である。
【図３】図１に示す受枠の分解斜視図である。
【図４】保護枠の取り外し作業において最初にボルトを取り外したときの状態を示す斜視図である。
【図５】図４の状態から、さらにワッシャを取り外した状態を示す斜視図である。
【図６】保護枠の上方から特殊ナットを回動させる作業を説明するための斜視図である。
【図７】保護枠を取り外したときの状態を示す斜視図である。
【図８】受枠本体のレベル調整作業を説明するための斜視図である。
【図９】受枠本体のレベル調整後、保護枠を取り付ける作業を説明するための斜視図である。
【図１０】第２実施例に係る地下構造物用蓋の受枠を示した斜視図である。
【図１１】第３実施例に係る地下構造物用蓋の受枠を示した斜視図である。
【図１２】図１１中、流体圧駆動機構の構成を示した斜視図である。
【図１３】図１１中、保護枠の凹部を部分的に示した斜視図である。
【符号の説明】
１  地下構造物用蓋
２  受枠
３  蓋本体
４  受枠本体
５  保護枠
５ａ，５ｂ，５ｃ  ブロック
６  フランジ
１９  外周面
２０  上面壁
２２  外周壁
２８  支持ボルト（昇降支持手段）
３０  特殊ナット（昇降支持手段）
４４  開口部
５４  テレスコピックジャッキ（流体圧駆動機構）
【図１】
0004030039.tif 000002
【図２】
0004030039.tif 000003
【図３】
0004030039.tif 000004
【図４】
0004030039.tif 000005
【図５】
0004030039.tif 000006
【図６】
0004030039.tif 000007
【図７】
0004030039.tif 000008
【図８】
0004030039.tif 000009
【図９】
0004030039.tif 000010
【図１０】
0004030039.tif 000011
【図１１】
0004030039.tif 000012
【図１２】
0004030039.tif 000013
【図１３】
0004030039.tif 000014